(57)【特許請求の範囲】
【請求項１】
洗濯機筺体と、前記洗濯機筺体内に揺動自在に弾性支持された水槽と、水槽内に回転自在に内包された有底円筒状の回転ドラムと、前記洗濯機筺体に設けた筺体開口部を開閉自在に覆う蓋体と、前記筺体開口部に固着され、前記洗濯機筺体と前記蓋体とを回転支持部にて連結するとともに略Ｌ字状連結部を有する連結部材とを備え、前記蓋体は、前記Ｌ字状連結部に対応する位置に切欠き部を形成するとともに、前記蓋体の外周縁に爪部を延設し、前記蓋体を開状態にした時、前記爪部が前記Ｌ字状連結部に形成した穴部に遊嵌するドラム式洗濯機。
【発明の詳細な説明】
【技術分野】
【０００１】
本発明は、前面側から蓋体の開閉を行い、回転ドラム内に収容した洗濯物を洗濯するドラム式洗濯機に関するものである。
【背景技術】
【０００２】
従来、この種のドラム式洗濯機では、蓋体と洗濯機本体を、連結部材にて連結する構成が提案されてきた（例えば、特許文献１）。
【０００３】
図６は、特許文献１に記載された従来のドラム式洗濯機の斜視図、図７は、同ドラム式洗濯機の蓋体が開状態の要部断面図を示す。
【０００４】
図６、図７において、洗濯機本体１３２に軸受け部材１３３を取り付け、軸受け部材１３３の回転軸部１３４に一対の連結部材１３５、１３６を回動自在に取り付け、連結部材１３５，１３６に蓋体１３９を連結して、蓋体１３９により、洗濯機本体１３２の前方の開口部１３１を蓋体１３９により開閉自在に覆う。一対の連結部材１３５、１３６は、回転軸部１３４を中心とした略円弧形状をなし、互いに離れるほど略円弧形状の円弧半径が大きくなるという構成である。
【先行技術文献】
【特許文献】
【０００５】
【特許文献１】特開２００５−６５９０９号公報
【発明の概要】
【発明が解決しようとする課題】
【０００６】
しかしながら、前記従来の構成では、蓋体を閉状態にした時に、外観性のため洗濯機本体と蓋体の隙間を出来るだけ小さくし、蓋体を開状態にした時には、操作性のため出来るだけ開き角度を大きくする必要があるが、一対の連結部材１３５、１３６は、回転軸部１３４を中心とした略円弧形状をなし、互いに離れるほど略円弧形状の円弧半径が大きくなるようにしているために、蓋体の回転軸部側において、洗濯機本体との間に大きな隙間が発生し、使用者または子供等の付帯者が指をその隙間に入れる可能性があり、蓋体を開けている途中では問題ないが、その状態で、気付かずに蓋体を最大限まで開く方向に動作すると、指を巻き込み、非常に危険であるという課題を有していた。また、蓋体を閉める場合も、同様に、指を巻き込み、危険であるという課題を有していた。
【０００７】
本発明は、前記従来の課題を解決するもので、蓋体の回転軸部の構成が簡単で、なおかつ、使用者または子供等の付帯者にとって、安全で使い勝手の良いドラム式洗濯機を提供することを目的とする。
【課題を解決するための手段】
【０００８】
本発明は、前記従来の課題を解決するもので、洗濯機筺体と、前記洗濯機筺体内に揺動自在に弾性支持された水槽と、水槽内に回転自在に内包された有底円筒状の回転ドラムと、前記洗濯機筺体に設けた筺体開口部を開閉自在に覆う蓋体と、前記筺体開口部に固着され、前記洗濯機筺体と前記蓋体とを回転支持部にて連結するとともに略Ｌ字状連結部を有する連結部材とを備え、前記蓋体は、前記Ｌ字状連結部に対応する位置に切欠き部を形成するとともに、前記蓋体の外周縁に爪部を延設し、前記蓋体を開状態にした時、前記爪部が前記Ｌ字状連結部に形成した穴部に遊嵌する構成としたものである。
【０００９】
これによって、複雑な蓋体支持構造とすることも無く、使用者または子供等の付帯者が隙間に指を入れて挟むことが防止できるとともに、蓋体を閉じた状態で蓋体が洗濯機筺体から大きく出っ張ることなく、また、蓋体を大きな角度で開けることができるので、洗濯物の投入や取り出しがやりやすく、操作性を向上させることができる。
【発明の効果】
【００１０】
本発明のドラム式洗濯機は、使用者または子供等の付帯者が、隙間に指を入れて挟むことが無く、蓋体を大きな角度で開けることができるので、安全性と操作性の向上を実現することができる。
【図面の簡単な説明】
【００１１】
【図１】本発明の実施の形態におけるドラム式洗濯機の縦断面図
【図２】同ドラム式洗濯機の正面図
【図３】同ドラム式洗濯機の要部斜視図
【図４】同ドラム式洗濯機の蓋体が閉状態の要部断面図
【図５】同ドラム式洗濯機の蓋体が開状態の要部断面図
【図６】従来のドラム式洗濯機の斜視図
【図７】同ドラム式洗濯機の蓋体が開状態の要部断面図
【発明を実施するための形態】
【００１２】
第１の発明は、洗濯機筺体と、前記洗濯機筺体内に揺動自在に弾性支持された水槽と、水槽内に回転自在に内包された有底円筒状の回転ドラムと、前記洗濯機筺体に設けた筺体開口部を開閉自在に覆う蓋体と、前記筺体開口部に固着され、前記洗濯機筺体と前記蓋体とを回転支持部にて連結するとともに略Ｌ字状連結部を有する連結部材とを備え、前記蓋体は、前記Ｌ字状連結部に対応する位置に切欠き部を形成するとともに、前記蓋体の外周縁に爪部を延設し、前記蓋体を開状態にした時、前記爪部が前記Ｌ字状連結部に形成した穴部に遊嵌することにより、複雑な蓋体支持構造とすることも無く、使用者または子供等の付帯者が隙間に指を入れて挟むことが防止でき、安全性を向上させることができるとともに、蓋体を閉じた状態で洗濯機筺体から蓋体が大きく出っ張ることなく、また、蓋体を大きな角度で開けることができるので洗濯物の投入や取り出しがやりやすく、操作性を向上させることができる。
【００１３】
以下、発明の実施の形態について、図面を参照しながら説明する。また、この実施の形態によって本発明が限定されるものではない。
【００１４】
（実施の形態１）
図１は、本発明の実施の形態におけるドラム式洗濯機の縦断面図を示すものである。
【００１５】
図１において、洗濯機筺体４１の内部に揺動自在に水槽４２が配設され、水槽４２内には、回転ドラム４３が回転自在に配設されている。回転ドラム４３の回転中心に水平方向に回転軸（回転中心軸）４４が設けられ、この回転軸４４に、水槽４２の背面側近傍に取り付けたモータ４５が、ベルト４６を介して連結され、モータ４５により回転ドラム４３が正転、逆転方向に回転駆動される。回転ドラム４３の内壁面には、洗濯物を撹拌するための数個の突起板４７が設けられている。また、回転ドラム４３の外周部には、多数の通水孔４８が全面に設けられている。
【００１６】
上記の、水槽４２、回転ドラム４３、モータ４５等により、振動系の水槽ユニット４９が構成されており、この水槽ユニット４９は、洗濯機筺体４１上部から複数のばね体５０により、また、洗濯機筺体４１下部から複数の防振ダンパー５１により防振支持されている。
【００１７】
また、水槽４２の正面側で洗濯機筺体４１に設けた筺体開口部４０を、蓋体５２により開閉自在に覆い、蓋体５２は、水槽４２前部と筺体開口部４０を連結した防振と水封の役目をするシールパッキング８２を介して密閉し、また開くことができるようにしており、この蓋体５２を開くことにより、衣類出入口５３を通して回転ドラム４３内に洗濯物を出し入れできるようにしている。
【００１８】
また、このドラム式洗濯機は、モード設定や制御プログラムに従い、モータ４５、給水系５４、排水系５５、水循環系５６を自動制御して、少なくとも洗い行程、すすぎ行程、脱水行程を行う機能を有している。
【００１９】
給水系５４は、第１の電磁弁５７（第１の給水手段）、あるいは第２の電磁弁５８（第２の給水手段）の開閉によって、第１の給水ホース５９、あるいは第２の給水ホース６０を通り、洗剤や柔軟仕上げ剤を収容し外部から引き出し自在の引き出し部（図示せず）を内部に収納する洗剤収容部６１を介して、給水経路６２から水槽４２内に適時に給水できる。
【００２０】
排水系５５は、排水ポンプ６３の駆動によって、洗い行程終了時、すすぎ行程終了時など必要なときに、水槽４２の底部に接続された排水管６４を介し、糸屑類を捕集し外部から取り外し可能の排水フィルタ６５を通過した後、排水ポンプ６３を通って、機内から機外の上方まで配設された排水ホース６６から排水できるようになっている。
【００２１】
水循環系５６は、予洗い行程時、洗い行程時、すすぎ行程時など必要に応じ、水槽４２内の水を循環させて、洗剤の早期溶け込みや偏りの防止、洗いやすすぎの機能向上を図る。
【００２２】
この水循環系５６は、循環ポンプ６７を駆動させることで、水槽４２内の洗濯水を、排水管６４を介し、排水フィルタ６５を通過させ、循環ポンプ６７への流入側経路６８、循環ポンプ６７および循環ポンプ６７からの吐出側経路６９を介して、水槽４２前面側内方の噴出口７０より実線矢印で示す循環水として回転ドラム４３内に吐出することを繰り返す。なお、噴出口７０は、円周方向に複数設けられ、循環水は円周の全方向から吐出されるようになっている。
【００２３】
また、水槽４２の底部に形成した凹部７１には、洗濯水を加熱するシーズヒータ等からなる温水ヒータ（加熱手段）７２を水平方向に備えており、この温水ヒータ７２により加熱した水槽４２内の洗濯水を、前述のように、回転ドラム４３内に吐出することにより、洗濯水を洗濯物にふりかけて、この洗濯水を、また循環させる。これにより加熱された洗濯水が洗濯物にふりかけられる為、洗濯水の分子活動が高まり、また洗剤の活性化が高まるので、洗浄力を高め、かつ洗いムラを少なくする事ができる。また、温水ヒータ７２近傍には、水温を検知するサーミスタ等の温度検知手段７３が設けられている。
【００２４】
また、外槽４２の底部外周後方の側壁には、排水管６４と連通してエアートラップ７４を構成し、空気管７５にて、洗濯機筺体４１の上部内方に設けられ、圧力センサなどで構成された水位検知手段７６に連接しており、外槽４２内部に給水された洗濯水の水圧により複数段の水位を検知する事が出来る。
【００２５】
また、洗濯機筺体４１の上部内方に設けられた洗剤収納部６１の後面上部と水槽４２上部とを、連結ホース７７で連結しており、行程運転動作により加圧される水槽４２内の空気を抜く役目をしている。
【００２６】
また、水槽４２の上面後部には、水槽ユニット４９の振動を検知する加速度センサの振動検知手段７８が配設されており、１方向の加速度でなく前後（Ｘ軸方向）、左右（Ｙ軸方向）、上下（Ｚ軸方向）の３軸方向の振動を検出し、運転を制御する。これは、実際の水槽ユニット４９の振動は、必ずしも一方向に限定できないので、多軸の加速度センサを用いて、精度高く検知する為である。
【００２７】
運転コース等のモードや各種機能の選択は、洗濯機筺体４１の前面上部に設けられた操作表示手段７９から使用者が入力設定手段８０へ入力して行い、洗濯機筺体４１の上部内方に配設された制御装置８１が、その入力情報を基に操作パネル７９上の表示手段８３（図２参照）で表示して使用者に知らせる。
【００２８】
図２は、本発明の実施の形態におけるドラム式洗濯機の正面図である。
【００２９】
図２において、蓋体５２は、蓋把手８４に手を掛けて開動作を行なうと、左端部に鉛直方向に配設された回転支持部８５を中心に、洗濯機筺体４１の反対側に回動して開けられる。
【００３０】
図３は、本発明の実施の形態におけるドラム式洗濯機の要部斜視図である。
【００３１】
図３において、洗濯機筺体４１には、上下に一対のＬ字状連結部８６（Ｌ字状は正確に９０度でなくてもよい）を立設した連結部材８７が固着されており、このＬ字状連結部８６に回転支持部８５が形成されている。蓋体５２には、このＬ字状連結部８６に対応する位置に、外周側に開放する略コ字状の蓋枠切欠き部（切欠き部）８８が形成され、蓋体５２を閉じた時に、この蓋枠切欠き部８８にＬ字状連結部８６が納まるようになっており、蓋体５２を開ける時に、この蓋枠切欠き部８８により開き角度を大きくすることができる。また、連結部材８７の一対のＬ字状連結部８６には、水平方向に一対の角穴部（丸穴部でもよい）８９が形成されており、蓋体５２を開けた時に、この角穴部８９の内面がストッパーになっている（図４、図５で後述）。
【００３２】
図４は、本発明の実施の形態におけるドラム式洗濯機の蓋体５２が閉状態の要部断面図、図５は、同蓋体５２が開状態の要部断面図である。
【００３３】
図４、図５において、蓋体５２は、連結部材８７で連結される円周状の蓋枠９０、内蓋９１、外蓋９２、蓋カバー９３で構成されている。
【００３４】
蓋枠９０は、略リング状で、連結部材８７と連通する回転支持部８５が形成され、内方側に硬質透明材の内蓋９１が挟着されている。蓋体５２が閉状態の時には、この内蓋９１にシールパッキング８２が当接して、水封状態を保っている。また、この蓋枠９０に、図３で前述の外周側に開放するコ字状の蓋枠切欠き部８８が形成されている。
【００３５】
外蓋９２は、蓋枠９０の外方側全体を覆う透明材の円状であり、その外周部外方側を覆うように略リング状の蓋カバー９３が嵌着されている。また、外蓋９２の回転支持部８５側の外周縁内方側には、蓋枠切欠き部８８の開放側に向かって一対の爪部９４が延設されている。
【００３６】
前述のように、蓋体５２の開き角度を大きくするために、外周側に開放するコ字状の蓋枠切欠き部８８が形成されているが、このことにより、蓋体５２が閉状態の時に、この蓋枠切欠き部８８に指が入ると、蓋体５２が開いていく時に挟んでしまう恐れがある。しかし、外蓋９２の外周縁内方側には、蓋枠切欠き部８８の開放側に向かって爪部９４を延設していることにより、洗濯機筺体４１との隙間ａが、爪部９４を設けない場合よりも狭く
なっている。これにより、隙間に指が入って挟まれることは防止される。
【００３７】
また、蓋体５２を開けた時に、一対の爪部９４が、連結部材８７の一対のＬ字状連結部８６に形成した一対の角穴部８９に遊嵌し、角穴部８９の内面当接部９５に当接して、蓋体５２の開放が止まるようになっている。なお、蓋体５２は、略１５０度以上開いた時に開放が止まるようになっている。
【００３８】
以上のように、本実施の形態においては、蓋体を構成する蓋枠は、蓋体開閉の回転支持部を形成した連結部材のＬ字状連結部に対応する位置に、外周側に開放する略コ字状の蓋枠切欠き部を形成し、外蓋は、外周縁内方側に、蓋枠切欠き部の開放側に向かって一対の爪部を延設するとともに、蓋体を開状態にした時に、爪部がＬ字状連結部に形成した角穴部に遊嵌して、角穴部の内面当接部に当接することにより、使用者または子供等の付帯者が隙間に指を入れて挟むことが防止でき、安全性を向上させることができるとともに、蓋体を閉じた状態で洗濯機筺体から大きく出っ張ることなく、また、蓋体を大きな角度で開けることができるので洗濯物の投入や取り出しがやりやすく、操作性を向上させることができる。
【産業上の利用可能性】
【００３９】
以上のように、本発明にかかるドラム式洗濯機は、回転支持部構造により、使用者または子供等の付帯者が隙間に指を入れて挟むことが防止でき、安全性を向上させるとともに、操作性を向上させることが可能となるので、回転支持された蓋体を有するその他の機器の用途に適用できる。
【符号の説明】
【００４０】
４０  筺体開口部
４１  洗濯機筺体
４２  水槽
４３  回転ドラム
５２  蓋体
８５  回転支持部
８６  Ｌ字状連結部（略Ｌ字状連結部）
８７  連結部材
８８  蓋枠切欠き部（切欠き部）
８９  角穴部（穴部）
９０  蓋枠
９１  内蓋
９２  外蓋
９３  蓋カバー
９４  爪部
９５  内面当接部
【図１】
0005690999.tif 000002
【図２】
0005690999.tif 000003
【図３】
0005690999.tif 000004
【図４】
0005690999.tif 000005
【図５】
0005690999.tif 000006
【図６】
0005690999.tif 000007
【図７】
0005690999.tif 000008